(57)【特許請求の範囲】
【請求項１】
スイッチング素子に入力する前の光信号とスイッチング素子から出力された後の光信号を比較する比較手段、およびスイッチング素子が入力信号を正しく切り換えたか否かを確認する確認手段とを有し、
前記比較手段は、入力信号および出力信号の周波数スペクトルの部分を抽出して比較し、その部分のバンド幅はデータのバンド幅より実質的に小さいことを特徴とするスイッチング素子確認システム。
【請求項２】
請求項１記載のスイッチング素子確認システムにおいて、
前記比較手段は、スイッチング素子への入力信号間で単一の入力信号の特徴を抽出して、比較するように構成されることを特徴とするスイッチング素子確認システム。
【請求項３】
請求項１記載のスイッチング素子確認システムにおいて、
前記比較手段は、スイッチング素子への入力信号間で単一ではないが少くとも部分的に独立している入力信号の特徴を抽出して、比較するように構成されることを特徴とするスイッチング素子確認システム。
【請求項４】
請求項１記載のスイッチング素子確認システムにおいて、
前記比較手段は、パターンマッチングによって入出力信号を比較する手段を含むことを特徴とするスイッチング素子確認システム。
【請求項５】
請求項１記載のスイッチング素子確認システムにおいて、
前記確認手段は、障害確認の所定のコストと障害の非確認の所定のコストによって決定された閾値に基づいて正しい接続を確認するように構成されることを特徴とするスイッチング素子確認システム。
【請求項６】
請求項１記載のスイッチング素子確認システムにおいて、
前記スイッチング素子は複数の入力パスを含み、
このスイッチング素子確認システムは、スイッチ素子によってスイッチングされるパスを制御する手段と、出力信号と比較するための対応する入力信号を選択するための手段とを含むことを特徴とするスイッチング素子確認システム。
【請求項７】
請求項１記載のスイッチング素子確認システムにおいて、
スイッチング素子に入力する複数の異なる入力を比較し、前記パス間のクロストークの程度を決定するための手段を含むことを特徴とするスイッチング素子確認システム。
【請求項８】
請求項１記載のスイッチング素子確認システムにおいて、
前記スイッチング素子は複数の入力信号を有し、
このスイッチング素子確認システムは、前記複数の入力信号のペアを比較し、その中のパターン間の一致の程度を決定するための手段を含むことを特徴とするスイッチング素子確認システム。
【請求項９】
請求項８記載のスイッチング素子確認システムにおいて、
決定されたマッチングの程度によって確認結果中の信頼性レベルを決定する手段を含むことを特徴とするスイッチング素子確認システム。
【請求項１０】
請求項８記載のシステムにおいて、
信頼性レベルに基づいて閾値を決定する手段を含むことを特徴とするスイッチング素子確認システム。
【請求項１１】
スイッチング素子の入力信号のアナログ的特徴と、スイッチング素子から出力される信号の同じ特徴とをパターンマッチングによって動作可能な比較手段によって比較することを特徴とするディジタル通信システム中のスイッチング素子を分析する信号分析システム。
【請求項１２】
請求項１１記載の信号分析システムにおいて、
このシステムは、スイッチング素子が入力信号を正しく切り換えたか否かをマッチング結果から確認する手段を含むことを特徴とする信号分析システム。
【請求項１３】
請求項１１記載の信号分析システムにおいて、
前記スイッチング素子は複数の入力信号を有するスイッチング素子を含み、
前記比較手段は、複数の入力信号と出力信号を比較するように構成され、
この信号分析システムは、出力に切り換えられない入力信号と出力信号間のクロストークを決定する手段を含むことを特徴とする信号分析システム。
【請求項１４】
請求項１１記載の信号分析システムにおいて、
前記比較手段は、ランダム位相で入力信号に与えられた低周波ディザの位相と出力信号上の対応するディザとを比較するように構成されることを特徴とする信号分析システム。
【請求項１５】
請求項１１記載の信号分析システムを含むディジタル通信システム用のスイッチング素子。
【請求項１６】
請求項１５記載のスイッチング素子を少なくとも１つ含むことを特徴とする光伝送システム。
【請求項１７】
請求項１記載のスイッチング素子確認システムを含む複数のスイッチング素子を有することを特徴とする光伝送システム。
【請求項１８】
光伝送システム中の複数のスイッチング素子の動作を確認する方法において、
スイッチング素子に入力する前の光信号とスイッチング素子から出力された後の光信号を比較し、
スイッチング素子が入力信号を正しく切り換えたか否かを前記比較により確認し、
前記比較は、入力信号および出力信号の周波数スペクトルの部分を抽出して比較するもので、その部分のバンド幅はデータのバンド幅より実質的に小さいことを特徴とするスイッチング素子確認システム。
【発明の詳細な説明】
【０００１】
【発明の属する技術分野】
本発明は、スイッチング素子確認システム、信号分析システム、光伝送システム用素子およびスイッチング素子の動作確認方法に関するものである。
【０００２】
【従来の技術】
通信用ディジタル伝送システムは、通常、多くの低速データ・ストリームがまとまって、単一の高速リンク上に多重されたリンクを含んでいる。この高速リンクは、光伝送システムによって実現できるかも知れない。このようなシステムは、スイッチング素子を有する、エンド・ツー・エンドのリンク、すなわち、光リンクによるネットワークとなりうる。特に、多くの場合、データ速度は非常に速いので、このような光ネットワークのスイッチング素子をテストし、確認することが問題となる。
【０００３】
ネットワークを介した接続が、ＴＣＰ／ＩＰのようなネットワーク・レイヤ・プロトコル、すなわち、データが到着しないときに再送を要求できるプロトコルによって保証されることが知られている。物理的なデータ転送レベルでは、パス追跡バイトが挿入され、データのフレームが正しい経路を経て送られたことを確かめるためのチェックが行われる。しかしながら、このような方法には、データ・ストリームを分離化することが含まれ、それは通常、光ネットワークを介した経路の端部にある端末で行われる。
【０００４】
アナログ装置を用いた検査が知られているが、それは、限定された目的に使用されるだけである。光増幅器を通過する前後における光信号の値を得るものとして、米国特許５２８２０７４が知られている。その値は、増幅器によって生成されたノイズに対する値を得るために減算が行われる。
【０００５】
【発明が解決しようとする課題】
リレーを用いた旧式のアナログ電話交換機のような、その内部でアナログ信号の切換えを行う他の伝送システムが知られている。しかし、接続を確認する、すなわち、出力と入力とを比較する試みは、なされなかった。
【０００６】
本発明は、このような既知の構成を改善するものである。
【０００７】
【課題を解決するための手段】
本発明の１つの態様によれば、スイッチング素子へ入力される前の光信号とそのスイッチング素子から出力された後の光信号とを比較する比較手段と、その比較より、スイッチング素子が入力信号を正しく切り換えたか否かを確認する確認手段とを備え、比較手段は、入力信号および出力信号の周波数スペクトルの部分を抽出して比較するもので、その部分のバンド幅はデータのバンド幅より実質的に小さいことを特徴とする光ネットワークにおけるスイッチング素子の確認システムが提供される。
【０００８】
このようなシステムは、個別に各スイッチング素子の確認を可能にし、各スイッチング素子に対して高価なデータ多重分離用のハードウェアを必要とすることなく、障害箇所を切り離すように動作する。
【００１０】
比較のために選択される入力信号は単一のものでもよいし、単一でなくても、少くとも部分的には、他の入力信号から独立していてもよい。
【００１１】
この独立性により、接続の確認が可能となり、その確認の信頼度を設定できる。
【００１２】
もし、比較手段が、パターン・マッチングによって入出力信号を比較すると、確認の正確の信頼度を改善できる。
【００１３】
さらに有利な装置は、障害確認の所定のコスト、および障害無確認の所定コストをもとに決定した閾値に基づいて、正しい接続を確認することを含む。これにより、障害確認のコストあるいは効果が障害無確認のそれらと異なる環境に対して、確認を最適化するように閾値が決定される。
【００１４】
スイッチング素子が複数の入力経路を有する場合、このスイッチング素子確認システムは、現在、どの入力経路が出力経路に切り換えられているかを決定する必要があり、そのために、比較手段によって、対応する信号が出力信号と比較される。これによって、スイッチング素子を介した、複数の可能経路に対して、単一の比較手段が使用でき、比較回路の量ならびに費用を軽減することが可能となる。
【００１５】
好ましくは、本システムは、スイッチング素子への複数の異なる入力に対して入出力信号を比較し、これらの入力間でのクロストークの程度を決定する手段を含む。
【００１６】
これにより、接続の確認に使用されるのと実質的に同じハードウェアを用いて、他のパラメータのテストが可能となる。
【００１７】
好ましくは、スイッチング素子が複数の入力信号を有する場合、複数の入力信号の組を比較し、これらの入力信号中のパターン間のマッチング程度を決定する手段を有する。これによって、入力間でのクロストークの値を得ることができ、さらに、入力信号間の独立の程度を決定することができるので、これらは、確認結果の正確さの信頼レベルを決定するのに使用できる。好ましくは、この閾値は、所望の信頼レベルによって決定される。
【００１８】
本発明の他の態様によれば、スイッチング素子の入力信号のアナログ的特徴を、そのスイッチング素子から出力される信号の同じ特徴とを比較する手段を備え、この比較手段は、パターン・マッチングによって動作する、ディジタル伝送システムにおけるスイッチング素子用の信号分析システムが提供される。
【００１９】
これにより、マッチング結果に従って、スイッチング素子のパラメータ範囲をテストしたり、スイッチング素子の特徴が制御されるようにできる。スイッチング素子を通過した信号から、ディジタルの特徴を抽出するよりも、アナログ形式でとったパターン・マッチングの特徴によって、ハードウェアを簡素化でき、また、コストを最小にできる。好ましくは、本システムは、マッチングの結果によって、スイッチング素子が入力信号を正しく切り換えたか否かを確認する手段を備える。これは、新規のスイッチング素子を設定し、あるいは、動作中のスイッチング素子の性能を監視するときに使用でき、それにより障害を検出し、分離することが可能となる。
【００２０】
好ましくは、スイッチング素子が複数の入力信号を有する場合、比較手段は、これら複数の入力信号を出力信号と比較するよう構成され、本システムは、出力側に切り換えられなかった入力信号と、出力信号との間のクロストークを決定する手段を備える。これは、スイッチング素子の１つの不可欠なパラメータである。従って、クロストークを決定できるならば、障害の分離と障害の原因を決定することが容易になる。
【００２１】
好ましくは、この比較手段は、入力信号上にランダムな位相で現れる低周波のディザと、対応する出力信号上のディザとを比較するよう構成される。低周波ディザの使用が、データ・トラヒックに対する妨害を最小にする一方、簡単なハードウエアによる検出が可能となる。
【００２２】
本発明の他の態様は、光伝送システムにおけるスイッチング素子の動作を確認する方法を提供する。この方法は、スイッチング素子に入力する前の光信号とこのスイッチング素子から出力された後の光信号とを比較するステップと、この比較結果より、このスイッチング素子が入力信号を正しく切り換えたか否かを確認するステップとを備え、比較は、入力信号および出力信号の周波数スペクトルの部分を抽出して比較するもので、その部分のバンド幅はデータのバンド幅より実質的に小さいことを特徴とする。
【００２３】
【発明の実施の形態】
実施の形態１．
図１は、スイッチイング素子１、比較手段２、確認手段３およびサンプル抽出手段４のようなシステム素子を含む伝送システムを示す。１つのサンプル抽出手段はスイッチング素子の入力端子に接続され、もう１つのサンプル抽出手段は、スイッチング素子の出力端子に接続されている。各々のサンプル抽出手段の出力は、比較手段に入力される。比較手段の出力は、確認手段に入力される。
【００２４】
確認手段は２つの出力端子を有し、その１つはスイッチイング手段が入力信号を正しく切り替えたか否かを示し、もう１つは確認結果の正確さの信頼性の程度を示す。
【００２５】
図２は、２つの入力端子と２つの出力端子を有するスイッチング素子のより詳細な回路図を示す。典型的には、スイッチング素子が２つ以上の入力と出力を有するが、図をわかりやすくするため、ここでは２つづつしか示されていない。原理的には、スイッチング素子が、入力とスイッチ出力をそれぞれ１つづつ、または複数の入力と１つの出力、または１つの入力に対して複数の出力を有することも可能である。本発明の第２の側面では、本発明は、入力と出力１つずつ有し、出力信号が比較されるアナログ装置を通過する間に出力信号を変化させるどのような素子にも用いることができる。
【００２６】
各出力には比較手段が接続されており、各比較手段はそれぞれの確認手段を有している。出力側に比較手段を設け、各入力にも１つずつ比較手段を設けた方が都合がよい。このような場合、２つの入力信号が比較手段に入力され、比較手段によってそのどちらかが出力信号と比較される。原理的には、各々のスイッチング素子を通る使用可能な各パスに別々の比較手段を設けることもできる。しかしながら、そうするにはより大きなハードウェア容量が必要となる。
【００２７】
図２は、スイッチング素子によってスイッチングされるパスをコントロールする接続コントローラ５を示す。比較手段は、スイッチング素子によってどの入力がどの出力に接続されているか認識することが重要となる。従って、接続コントローラ５は各比較手段に接続され、それによって、比較手段は、２つの入力信号のうち、適切な入力信号を選択することができる。
【００２８】
図３は、サンプル抽出手段の詳細な一例を示す。さらに、図３は主光ファイバルートにおける光タップを示す。もし、この例の抽出手段を通る主信号が電気であれば、この信号に含まれるディジタル情報を分離化することなく、主信号の電気サンプルを抽出することができる。この実施の形態では、抽出した信号が増幅され、濾波され、ディジタルサンプルに変換される。しかしながら、信号中のディジタルデータは分離化されないので、このディジタルサンプルは未だアナログ信号を示す。データは、ＲＭＳ値が１．０にされ、信号電力変動があっても最終的な確認に影響しないようにできる。整数演算オーバフローによって起きる問題を避けるために、この段階の入力を決めることが好ましい。
【００２９】
図４は、比較手段２の詳細図を示す。比較手段は、ノイズ及び利得差の効果を最小限にするため、パターンマッチングを行うことが好ましい。これは、原理的にはディジタル的またはアナログ的な方法で行うことができる。パターンマッチングを行うには、様々な方法がある。乗算および積分を用いる相関は、便利な方法のひとつである。図４の比較手段は、異なる抽出素子から入力１または入力２のいずれかを選択する選択機能を有するスイッチから構成される。この選択は接続制御からの入力に従って行われる。選択された入力は、光伝送システムにおけるスイッチング素子の出力と乗算される。このスイッチング素子の出力はサンプル抽出手段によって得られる。もし必要であれば、光ネットワークにおけるスイッチング素子によって生じた時間遅延は、乗算が行われる前に補償される。そして乗算結果は積分される。このようなステップによって、一定の期間、入力信号と出力信号の相関がとられる。相関する入力信号および出力信号の濾波はサンプル抽出手段で行うが、さらに比較手段で行ってもよい。従って、比較される信号は、光伝送システムにおけるスイッチング素子を通る光信号の全帯域幅における低周波数成分だけで構成される信号であってもよい。
【００３０】
このような低周波数成分は、どのような入力信号に対しても単一（ユニーク）に構成されてもよい。もし、単一でなければ、少なくとも部分的に独立するように構成しても良い。低周波数が単一の場合、スイッチング素子が、各出力信号と比較される入力信号の、低周波数の特徴の独立の程度を考慮せず、入力信号を正しく切り替えたか否かを決定することができる。部分的に独立している場合は、確認の正確さの信頼性を決定するとき、およびスイッチイング素子が入力信号を正しく切り替えたか決定する閾値を設定するとき、比較される信号特徴の統計的な独立の程度を考慮するとよい。
【００３１】
図５は、確認手段３の詳細を示す。相関の結果は、比較手段から比較器１２へ供給される。ここで、相関結果は閾値蓄積手段１１に蓄積された閾値と比較され、比較器から接続確認結果が出力される。蓄積システム統計特性手段１３に蓄積された閾値および統計的特性に基づいて、信頼性のレベルが出力される。信頼性計算手段１４によって計算された信頼性レベルによって閾値を調整してもよい。蓄積されたシステム統計の特性は、システムの様々な部分に入力するノイズレベル、比較されている特性の詳細、相関方法の詳細、比較される入力中の統計確認などを含む。
【００３２】
入力の統計およびシステムに現れるノイズを知ることによって、決定閾値及び信頼性を適応的に改善することが可能である。これは、統計とノイズが時間と共に変化するとき、または設計の異なるアプリケーションが大きく異なる入力統計を有するときに好ましいものである。
【００３３】
これはレーダ分野での標準的な解決方法である。参考文献としてウェバー著、「検出素子および信号設計」マグローヒル、ニューヨーク、１９６８年がある。
【００３４】
実施の形態２．
図６は、全体的には図２と同様な図であるが、図２に統計抽出手段６を加えた構造を示す概要図である。この入力統計抽出手段６は、光ネットワークのスイッチング素子１の入力の各々に対して、サンプル抽出手段の出力が供給される。統計抽出手段６における計算結果は確認手段３へ供給される。この構成は、比較される入力信号の特徴の変化に従って、システム確認手段中で用いられるシステム統計の更新を可能にする。更に、入力信号間で行われる相関を可能にする。信号間に存在する相関の程度によってクロス・トークの測定値が変わるので、これによって、入力間のクロス・トークを較正することが可能となる。
【００３５】
図７は、入力統計抽出手段６の詳細、およびサンプル抽出手段からの入力の数を選択する入力選択手段２１を示す。２つの入力は、相互相関手段２２に供給される。様々な計算素子が機能的な形で図示されているが、実際には１つまたは２つのディジタル信号プロセッサにおいて、全ての計算を行うこともできる。サンプル抽出手段におけるサンプル出力は比較的低周波数であり、従って回路基板の間を通過し、さらに装置のラック間を通過し、ローカルエリアネットワークを用いて適当な比較手段または統計抽出手段へ接続させてもよい。そのような場合には、比較される信号間の時間オフセット中の不確かさやエラーを最小限にするためには何らかの同期を取ることが必要となる。
【００３６】
図８は、この実施の形態における入力統計が計算される確認手段３を示す。閾値計算手段１５は、接続コントローラから信号を受け、どの入力がどの出力と比較されたか示す。また、閾値計算手段１５は、入力統計抽出手段および信頼性計算手段１４からの結果を受ける。信頼性計算手段１４には、計算された閾値、統計抽出手段の出力、及び接続制御手段の出力が供給される。
【００３７】
確認手段は、障害確認の所定コストに基づいて決定された閾値を用いて、正しい接続を確認するよう構成される。これは、ベイズ抽出技術の特徴である。
【００３８】
最良の結果を得る基準に基づいて決定閾値を設定する標準的な方法がいくつか挙げられる。エラー検出器の最小確率は、いくつかの種類の誤りが生じる確率を最小限にする。ノイマン・ピアソン検出器は所定値に対する障害警報を所望の値にさせる。ベイズ検出器は、以前の確率と、正誤の決定の相対コストに基づいて最適化を行う。参考文献には、ツィーマー＆トランター著、「通信の原理」、ヒュートン・ミッフリン社、ボストン、１９７６年、３６４頁〜３７５頁がある。
【００３９】
一方、閾値の計算は、できる限り正確なレベルを得られるように設計され、正しい結果中で所望の信頼性を得るように設計され、また障害の結果中で所望の信頼性を得るように設計できる。
【００４０】
比較手段および／または確認手段は、確認された伝送システム素子から離れて設置することができる。そのような場合、サンプル抽出手段の出力が比較的低いバンド幅信号であれば、サンプル抽出手段の出力を離れた比較手段に送信することは簡単である。この場合、より多くのハードウェアを必要とすることは自明である。
【００４１】
この発明の好ましい実施の形態は、接続を統計的に確認するために送信されたデータストリームの低周波成分を用いるものである。高速信号（たとえば、１０Ｇｂ／ｓ）の低周波成分（たとえば、１００ｋＨｚ）は、他の低周波の変調成分と共に、単一ではないが、信号間でほぼ独立しているという特徴を有する。
【００４２】
データ・トラフィックの低周波成分における差異は信頼のおけるものであるが、相関性については、一貫して、また容易に識別されうる低周波信号を使うことが好ましい。たとえば、波長識別とノイズ測定（米国特許５５１３０２９を参照）のために用いられるディザ信号は、１ｍｓの期間およびランダム位相を有していてもよい。異なる入力信号が非同期の別々の送信機から出力されるならば、ランダム性が生じる。２つのモニタ点間の既知の伝逹遅延と既知のノイズ特性によって、ピーク相関がこれらの閾値内であるなら接続が正しいと判断されるように位相と振幅閾値を設定することができる。ピーク相関がこれらの閾値のうちの１つを越えているならば、接続は障害を示す。相関はフーリエ変換を用いて、周波数領域の中で実行されるが、もしスイッチング素子を介して通過する信号によって生じる時間遅延が無視でき、または充分に補償されていれば、時間領域相関の計算は単純である。
【００４３】
ディザ信号とノイズ効果を無視することによって（実際には重要であってもよい）、接続が正しいという判断に対する信頼性は、検出された位相分解能とディザ期間との比によって得られる。たとえば、分解能が１μおよび１ｍｓ期間以下であるなら、「正しい」接続であるという判断は 99.9％（１−（1μｓ/1ｍｓ））の信頼がおける。たとえば、波長分割多重システム（ＷＤＭ）におけるような複数の独立信号に対しては、「正しい」という判断を間違う確率は増加する。たとえば、Ｎの独立信号に対しては、信頼性は１−（1μｓ/1ｍｓ）×Ｎである。
【００４４】
複数のディザ信号から、または、データの低周波成分からのような、複数の低周波成分の独立電源を用いることによって、接続の確認の信頼性を高めることができる。接続が「障害」であるという宣言の信頼性は、ノイズ、使われるサンプルの数、閾値の組の関数である。これらのパラメータは、「障害」の宣言中の信頼性が所望のレベルで得られるように選択できる。
【００４５】
この方法は、また、双方向光伝送で、他の方向の信号を監視することによって用いることができる。
【００４６】
入出力サンプリングにおける正確な相対時間基準は、位相分解能を向上させるのに役立つ。また、ディジタル補間技術は、ディジタルサンプル間の時間よりも位相分解能をより良く改善するために用いることができる。
【００４７】
「光ネットワーク」は、集積光スイッチ、１つのカード、１つのシェルフ、１つの交差接続、１つの建物、または地理的に分散しているような装置のすべて、または一部から構成されると考えられる。その方法は直列の複数段で繰り返され、入れ子になり、連結され、障害接続位置についての情報をより多く生成する。
【００４８】
またこのシステムは、信号、クロストークと光雑音の２つの異なる組を結合するような、完全な接続障害以外の障害を検出するために使用してもよい。確認手段は分析された障害の形式に従って、比較の結果を処理する適切な手段に置き換えてもよい。第１の実施の形態の他の特徴は、同じくこの第２の実施の形態に適用できる。
【００４９】
単一の信号識別子は、信号ディジタルデータ、たとえばオーバヘッド部分に組み込むこともできる。一方、アナログ光レベルにおいても、全体的に、または、監視機能からの指令に基づいて、組み込むことができる。複雑さが増すということはあるが、これにより、正しい接続の判断における信頼性を高めることができる。これらは、送信機、光増幅器、あるいは光伝送パスに沿った他の点の信号に加えられまたは変調される。これらは、波長、位相、コーヒーレンス、チャープ（charp）、方向または偏光のような単一の周波数成分、および／または単一の光特性を有することができる。単一の光特性は、識別子の検出を助けるために、光フィルタのような特定の光装置を要することもある。
【００５０】
２つの測定値が同じ位置で得られるように、タップされた光信号は、「ループバック」できる。これは、同期を容易にしたり、光相関のような光比較を可能にする。光信号の一部は、中心位置監視点に切り換えられる。ループバックと中央監視は、他の複雑さを有し、障害範囲における信頼性を減少させるという問題がある。
【００５１】
【発明の効果】
本発明は、光スイッチング装置に安価に付加でき、接続を局地的に確認することを可能にする。大部分の構成素子は、光電力を監視するためにすでに存在している。
【００５２】
伝送システム上のトラフィックを妨げる必要はなく、パラメータは連続的に、あるいは、離れて監視できる。局地的な確認によって、障害箇所を分離することが非常に容易にできるようになる。障害は、スイッチング素子確認システムの位置や間隔に応じて、ユニットレベル、ラックレベル、またはフィールド置き換え可能ユニットレベルのような変化の程度で分離することができる。
【００５３】
伝送システムは多くのスイッチング素子を含んでもよく、各出力が確認されるなら障害の分離は改善される。これは、特定の素子の出力と、その素子に対応した入力、または前の素子への対応する入力とを比較することによってなされる。
【００５４】
確認手段の代わりに、あるいは確認手段と同様に、比較結果あるいは確認の出力は、原則としては、素子のパラメータを制御するため、出力を改善するため、または、先行素子にフィードバックし信号の経路選択を変えるために用いられる。たとえば、障害の検出は、障害素子を避けるために、他の素子を介して信号を再度経路指定するようにトリガできる。
【図面の簡単な説明】
【図１】  本願の一実施の形態を含む伝送システムを示す概要図である。
【図２】  図１のシステムの実施の形態を更に詳細に示した概要図である。
【図３】  図２のサンプル抽出素子を示す概要図である。
【図４】  図１及び図２の比較手段の一例を示す概要図である。
【図５】  図２の確認手段の一例を示す概要図である。
【図６】  入力統計抽出装置を含む本願の発明の他の実施の形態の概要図である。
【図７】  図６の入力統計抽出装置の一例を示す概要図である。
【図８】  図６および図７の入力統計抽出装置からの入力を含む、図６の確認手段を示す概要図である。
【符号の説明】
１  スイッチング素子
２  比較手段
３  確認手段
４  サンプル抽出手段
５  接続コントローラ
６  入力統計抽出手段
１１  閾値蓄積手段
１２  比較器
１３  蓄積システム統計特性手段
１４  信頼性計算手段
１５  閾値計算手段
２１  入力選択手段
２２  相互相関手段
【図１】
0003992248.tif 000002
【図２】
0003992248.tif 000003
【図３】
0003992248.tif 000004
【図４】
0003992248.tif 000005
【図５】
0003992248.tif 000006
【図６】
0003992248.tif 000007
【図７】
0003992248.tif 000008
【図８】
0003992248.tif 000009